(57)【要約】【課題】特殊な装置が必要とされずに製造され、内容物の注出状態を最適とすることができる容器を提供する。【解決手段】口部１０と、水平方向に対して傾斜を有する肩部２０と、胴部３０と、底部４０とを有するＰＥＴボトル１において、少なくとも肩部２０は、塑性変形自在の材料からなり、環状の段差部２１を有する。【選択図】図１
2016108017.tif 000002
【特許請求の範囲】
【請求項１】
口部と、
水平方向に対して傾斜を有する肩部と、
胴部と、
底部と
を有する容器において、
少なくとも前記肩部は、塑性変形自在の材料からなり、環状の段差部を有することを特徴とする
容器。
【請求項２】
前記環状の前記段差部は略水平方向に延びることを特徴とする
請求項１に記載の容器。
【請求項３】
前記肩部は略円錐台の形状であることを特徴とする
請求項１乃至２のいずれか１項に記載の容器。
【請求項４】
前記肩部は、前記環状の前記段差部に対して径方向に延びるリブを更に有することを特徴とする
請求項１乃至３のいずれか１項に記載の容器。
【請求項５】
前記リブは凹状であることを特徴とする
請求項４に記載の容器。
【請求項６】
前記肩部は前記リブを複数有し、前記複数のリブは、前記環状の前記段差部の周方向に等間隔に位置することを特徴とする
請求項４乃至５のいずれか１項に記載の容器。
【請求項７】
前記肩部の肉厚は０．０５ｍｍ以上、０．５０ｍｍ以下であることを特徴とする
請求項１乃至６のいずれか１項に記載の容器。
【請求項８】
前記環状の前記段差部の幅は１ｍｍ以上、８ｍｍ以下であることを特徴とする
請求項１乃至７のいずれか１項に記載の容器。
【請求項９】
前記段差部と、前記肩部とのなす角は９５度以上、１４５度以下であることを特徴とする
請求項１乃至８のいずれか１項に記載の容器。
【請求項１０】
前記容器はプラスチックボトルであることを特徴とする
請求項１乃至９のいずれか１項に記載の容器。
【請求項１１】
前記口部が、前記胴部の側に鉛直に押し込まれた際に、前記肩部の上部が前記段差部より下方に位置するように変形可能に構成されることを特徴とする
請求項１乃至１０のいずれか１項に記載の容器。
【請求項１２】
前記口部が、前記胴部の側に、鉛直に対して角度を有して押し込まれた際の前記口部の上端が前記胴部の外周より内方に位置するように変形可能に構成されることを特徴とする
請求項１乃至１１のいずれか１項に記載の容器。
【発明の詳細な説明】
【技術分野】
【０００１】
本発明は、容器に関し、より詳細には、水平方向に対して傾斜を有する肩部を有する容器の構造に関する。
【背景技術】
【０００２】
例えば、飲料が充填される容器としてＰＥＴ（PolyEthyleneTerephthalate）ボトルが用いられる。そして、飲料の飲み口や、注ぎ口となる開口部は、ＰＥＴボトルの鉛直上方向に開放されるように形成される。したがって、飲料が注出される際にはＰＥＴボトルが傾けられる。しかしながら、このような形状の開口部の場合には、残量が少なくなると、ＰＥＴボトルを大きく傾ける必要があったり、ＰＥＴボトルの傾け方が急であると、予期せぬ方向に飲料が飛び出したりするおそれがある。
【０００３】
そこで、ＰＥＴボトルの開口部を鉛直上方向から傾斜させることが考えられる。このように構成すれば、より少ない傾きで、ＰＥＴボトルから内容物を注出することができ、内容物を注ぎやすい、あるいは内容物を飲みやすくすることができるものと考えられる。更に、このように構成すれば、内容物の注出の際に脈動の影響を少なくして注ぎやすくすることができ、これは特に、ＰＥＴボトルが大型になるほどその効果がより発揮されるものと考えられる。これらの特徴を有するＰＥＴボトルは、握力や、手首の力の弱い方の使用や、介護の場面での使用等においても有効であるものと考えられる。
【０００４】
特許文献１では、ペットボトル本体の注ぎ口を傾斜させたり、ペットボトル本体の注ぎ口のところにジャバラを設けたりした構成が開示されている。更に、特許文献２では、液体容器本体の上部に設けた開口部を、開口部に近接する液体容器本体の一部と倶に任意の一定角度に傾斜させて固定し、液体容器本体の外周面に凹凸を設けた構成が開示されている。
【先行技術文献】
【特許文献】
【０００５】
【特許文献１】実用新案登録第３０５６８６０号公報
【特許文献２】実用新案登録第３１１７０２５号公報
【発明の概要】
【発明が解決しようとする課題】
【０００６】
特許文献１の注ぎ口に傾斜のあるペットボトルによれば、ペットボトル本体から他の容器に、中の飲料などを取り分けるときに無駄なく正確にかつ効率よく迅速にそして腕への負担を少なくすることができるとされている。更に、特許文献１のジャバラ付注ぎ口のあるペットボトルによれば、注ぎ口の角度を自由に調節でき、ペットボトル本体の中の飲料が外に飛び出すのを防ぐことができるとされている。
【０００７】
そして、特許文献２の開口部が傾斜した液体容器によれば、少ない傾斜で全部の液体を飲むことができるとともに、液体容器を握ったとき、握った手の指にて凹凸の位置を確認すれば開口部の傾斜方向を見なくても開口部の傾斜方向が判るとされている。
【０００８】
しかしながら、特許文献１、及び特許文献２では、注ぎ口（開口部）が初めから傾けられていたり、ジャバラが取り付けられていたりしており、広く用いられている汎用的なブロー成形機では製造することができない。更に、特許文献１の構成では、ブロー成形の途中でボトルの傾きを補整する装置が必要となる。一方で、特許文献２の構成では、ブロー成形されたジャバラが局所的に厚肉となって容易に変形できない構成となりやすい。
【０００９】
そこで本発明の目的は、特殊な装置が必要とされずに製造され、内容物の注出状態を最適とすることができる容器を提供することにある。
【課題を解決するための手段】
【００１０】
上記課題を解決するため、本発明に係る容器は、口部と、水平方向に対して傾斜を有する肩部と、胴部と、底部とを有する容器において、少なくとも前記肩部は、塑性変形自在の材料からなり、環状の段差部を有することを特徴とする。
【００１１】
更に、前記環状の前記段差部は略水平方向に延びることを特徴とする。
【００１２】
更に、前記肩部は略円錐台の形状であることを特徴とする。
【００１３】
更に、前記肩部は、前記環状の前記段差部に対して径方向に延びるリブを更に有することを特徴とする。
【００１４】
更に、前記リブは凹状であることを特徴とする。
【００１５】
更に、前記肩部は前記リブを複数有し、前記複数のリブは、前記環状の前記段差部の周方向に等間隔に位置することを特徴とする。
【００１６】
更に、前記肩部の肉厚は０．０５ｍｍ以上、０．５０ｍｍ以下であることを特徴とする。
【００１７】
更に、前記環状の前記段差部の幅は１ｍｍ以上、８ｍｍ以下であることを特徴とする。
【００１８】
更に、前記段差部と、前記肩部とのなす角は９５度以上、１４５度以下であることを特徴とする。
【００１９】
更に、前記容器はプラスチックボトルであることを特徴とする。
【００２０】
更に、前記口部が、前記胴部の側に鉛直に押し込まれた際に、前記肩部の上部が前記段差部より下方に位置するように変形可能に構成されることを特徴とする。
【００２１】
更に、前記口部が、前記胴部の側に、鉛直に対して角度を有して押し込まれた際の前記口部の上端が前記胴部の外周より内方に位置するように変形可能に構成されることを特徴とする。
【発明の効果】
【００２２】
本発明に係る構成によれば、口部と、水平方向に対して傾斜を有する肩部と、胴部と、底部とを有する容器において、少なくとも肩部は、塑性変形自在の材料からなり、環状の段差部を有するので、段差部と、肩部との境界線を起点に肩部を変形することができる。そして、本発明に係る容器では、口部の向きや高さを自在に変更することができる。そして、これらの特徴を有する本発明に係る容器は、特殊な装置が必要とされずに製造され、内容物の注出状態を最適とすることができる。
【００２３】
更に、環状の段差部は略水平方向に延びる構成によれば、水平方向に対して傾斜を有する肩部に対して段差部を適切な角度とすることができる。そして、この構成によって、段差部と、肩部との境界線を起点に肩部を確実に変形することができる。そして、この段差部の構造は単純であり、容器は、特殊な装置が必要とされずに製造され、内容物の注出状態をより最適とすることができる。
【００２４】
更に、肩部は略円錐台の形状である構成によれば、肩部をより容易、かつより確実に変形しやすくすることができる。更に、肩部は汎用性が高く単純な形状であり、容器は、特殊な装置が必要とされずに製造され、内容物の注出状態をより最適とすることができる。
【００２５】
更に、肩部は、環状の段差部に対して径方向に延びるリブを更に有する構成によれば、段差部のリブと、傾斜する肩部との境界が起点となり、肩部を確実、かつ容易に変形することができる。そして、このリブの構造は単純であり、容器は、特殊な装置が必要とされずに製造され、内容物の注出状態をより最適とすることができる。
【００２６】
更に、リブは凹状である構成によれば、凹状部分が折りじわとなるとともに、段差部の変形を吸収して、肩部を容易に変形しやすくすることができる。そして、この構成によって、段差部の凹状のリブと、傾斜する肩部との境界を起点に肩部を確実、かつより容易に変形することができる。そして、この凹状リブの構造は単純であり、容器は、特殊な装置が必要とされずに製造され、内容物の注出状態をより最適とすることができる。
【００２７】
更に、肩部はリブを複数有し、複数のリブは、環状の段差部の周方向に等間隔に位置する構成によれば、口部が押し込まれた際に肩部に係る荷重を容器の周方向に分散し、肩部をより容易に変形しやすくすることができる。更に、口部を任意の方向に曲げやすくすることができる。そして、この複数のリブを有する構造は単純であり、容器は、特殊な装置が必要とされずに製造され、内容物の注出状態をより最適とすることができる。
【００２８】
更に、肩部の肉厚は０．０５ｍｍ以上、０．５０ｍｍ以下である構成によれば、肩部の容器としての強度を保持しながら、肩部を容易に変形しやすくすることができる。そして、この範囲の肉厚は、容器として充分に成形可能であり、容器は、特殊な装置が必要とされずに製造され、内容物の注出状態をより最適とすることができる。
【００２９】
更に、環状の段差部の幅は１ｍｍ以上、８ｍｍ以下である構成によれば、効果的に肩部を容易に変形しやすくすることができる。そして、この範囲の段差部の幅は、容器として充分に成形可能であり、容器は、特殊な装置が必要とされずに製造され、内容物の注出状態をより最適とすることができる。
【００３０】
更に、段差部と、肩部とのなす角は９５度以上、１４５度以下である構成によれば、効果的に肩部を容易に変形しやすくすることができる。そして、この範囲の段差部と、肩部とのなす角は、容器として充分に成形可能であり、容器は、特殊な装置が必要とされずに製造され、内容物の注出状態をより最適とすることができる。
【００３１】
更に、容器はプラスチックボトルである構成によれば、適度な強度と、塑性変形性を併せ持ち、汎用性の高い材料で効果的に肩部を変形することができる。そして、プラスチックは、容器としての成形が容易であり、容器は、特殊な装置が必要とされずに製造され、内容物の注出状態をより最適とすることができる。
【００３２】
更に、口部が、胴部の側に鉛直に押し込まれた際に、肩部の上部が段差部より下方に位置するように変形可能な構成によれば、肩部の変形時において容器の全高を低くすることができる。この特徴を有する容器は、特殊な装置が必要とされずに製造され、内容物の注出状態を最適とすることができる。更に、本発明に係る容器では、口部から肩部の高さを短くすることが可能となるので、容器が縦積みしやすくなるとともに、その積載効率が良好となる。したがって、本発明に係る容器は、積載（スタック）するのに好適である。
【００３３】
更に、口部が、胴部の側に、鉛直に対して角度を有して押し込まれた際の口部の上端が胴部の外周より内方に位置するように変形可能な構成によれば、口部を傾けた状態での肩部の変形時においても容器から外周方向にはみ出すことを防止することができる。この特徴を有する容器は、特殊な装置が必要とされずに製造され、内容物の注出状態を最適とすることができる。
【図面の簡単な説明】
【００３４】
【図１】本実施形態に係る容器の一例としてのＰＥＴボトルが示された正面図である。
【図２】図１のＰＥＴボトルの平面図である。
【図３】図１のＰＥＴボトルの底面図である。
【図４】図１のＰＥＴボトルが変形された状態の一例が示された部分正面図である。
【図５】図４のＰＥＴボトルの平面図である。
【図６】図１のＰＥＴボトルが変形された別の状態の一例が示された部分正面図である。
【図７】比較例１のＰＥＴボトルが示された正面図である。
【図８】比較例２のＰＥＴボトルが示された正面図である。
【図９】比較例３のＰＥＴボトルが示された正面図である。
【図１０】垂直座屈強度の測定結果が示された概要図である。
【発明を実施するための形態】
【００３５】
以下に、図面を参照しつつ、本発明の実施形態の詳細を説明する。図１は本実施形態に係る容器の一例としてのＰＥＴボトル１が示された正面図である。図２は図１のＰＥＴボトル１の平面図であり、図３は図１のＰＥＴボトル１の底面図である。なお、以下では、説明の便宜上、ＰＥＴボトル１が正立した図１の状態において、容器内に内容物が充填されるＰＥＴボトル１の口部１０を上とする。
【００３６】
図１〜図３に示されるように、本実施形態に係るＰＥＴボトル１は、口部１０と、水平方向に対して傾斜を有する肩部２０と、胴部３０と、底部４０とを有する。そして、少なくとも肩部２０は、塑性変形自在の材料からなり、環状の段差部２１を有することを特徴とする。なお、塑性変形とは外力を取り去っても残る変形であり、本実施形態においては、逆向き（口部１０を引っ張る方向）の力が加わると、ＰＥＴボトル１は元の形状へと戻る。以下では、本実施形態に係るＰＥＴボトル１の好適な態様として、水平方向の断面視が円形の丸ボトルを例示し、詳細に説明する。
【００３７】
口部１０は、内容物の充填口、及び注出口、あるいは飲み口となり、口部１０に、図示せぬ蓋が取り付けられることによってＰＥＴボトル１が密閉される。ＰＥＴボトル１が成形された段階の口部１０はその開口部が鉛直上向きに形成される。口部１０はその下側に、ＰＥＴボトル１の外方に環状に突出するサポートリング１１を有する。ここでは、サポートリング１１の下面から口部１０の上端までの距離を口部１０の高さＨ１とする。口部１０の高さＨ１は例えば２１ｍｍ、あるいは１７ｍｍである。
【００３８】
肩部２０は、その上側が口部１０に連なり、一方で、その下側が胴部３０に連なる。肩部２０は、上方から下方に向かって拡径する略円錐台の形状を有する。そして、肩部２０は、断面が円形であって、角ボトルのコーナー部に有する柱（ピラー）のような肩部２０が変形しにくくなる構成を有さない。肩部２０は、水平方向に延びるように構成されると賦形性が悪くなる。したがって、上述のように肩部２０は、水平方向に対して傾斜を有する。肩部２０の傾斜の形状は特に限定されず、内方に湾曲した形状であっても良いものの、外方に湾曲した形状であることが、肩部２０が変形時に湾曲が内方に反転することによる塑性変形のしやすさや、強度、設計された形状への追従性を示す賦形性等の観点から好ましい。
【００３９】
肩部２０はその下部に、その傾斜が急に（不連続的に）変化する環状の段差部２１を有する。そして、上述のように、本実施形態に係る容器の少なくとも肩部２０は塑性変形自在の材料例えばＰＥＴ（ポリエチレンテレフタラート）からなる。したがって、本実施形態に係るＰＥＴボトル１は、段差部２１の平面視で内方側の傾斜する肩部２０との境界線を起点に肩部２０を変形することができる。そして、本実施形態に係るＰＥＴボトル１では、口部１０の向きや高さを自在に変更することができる。
【００４０】
このような、水平方向に対して傾斜を有する肩部２０の下部に環状の段差部２１を有する構成はＰＥＴボトル１として充分に成形可能である。更に、本実施形態に係るＰＥＴボトル１は、断面が円形の縦長形状であり、偏肉が生じにくくブロー成形性の良い形状である。更に、本実施形態に係るＰＥＴボトル１の成形用のプリフォームの口部、特にサポートリングの形状が一般的なものと同様であるため、ブロー成形の加熱の際に、一般的な装置が備えるグリッパで搬送することができる。更に、ブロー成形後のＰＥＴボトル１の外観形状も一般的なものと略同様であるため、一般的なコンベアで搬送することができる。したがって、本実施形態に係るＰＥＴボトル１は、特殊な装置を必要とせずに製造することができる。更に、このような肩部２０の構成によって口部１０の向きや高さが変更自在な本実施形態に係るＰＥＴボトル１は内容物の注出状態をより最適とすることができる。
【００４１】
なお、環状の段差部２１の外周側（図２参照）はその傾斜が急に（不連続的に）変化している必要はなく、環状に面取りがなされていても良い。
【００４２】
肩部２０は、その肉厚が厚過ぎると変形しにくくなる。一方で、肩部２０は、その肉厚が薄過ぎると荷重強度が弱まる。したがって、肩部２０の肉厚は０．０５ｍｍ以上、０．５０ｍｍ以下であることが好ましい。肩部２０の肉厚がこの範囲とされることによって、肩部２０のＰＥＴボトル１としての強度を保持しながら、肩部２０を容易に変形しやすくすることができる。そして、この範囲の肉厚は、ＰＥＴボトル１として充分に成形可能であり、ＰＥＴボトル１は、特殊な装置が必要とされずに製造され、内容物の注出状態をより最適とすることができる。
【００４３】
環状の段差部２１の幅は、大きすぎても、小さすぎても賦形性が悪くなり、更に、環状の段差部２１の幅が大きすぎると段差部２１自体が変形してしまう。したがって、環状の段差部２１の幅は１ｍｍ以上、８ｍｍ以下であることが好ましい。環状の段差部２１の幅がこの範囲であると、効果的に肩部２０を容易に変形しやすくすることができる。そして、この範囲の段差部２１の幅は、ＰＥＴボトル１として充分に成形可能であり、ＰＥＴボトル１は、特殊な装置が必要とされずに製造され、内容物の注出状態をより最適とすることができる。
【００４４】
環状の段差部２１は、ＰＥＴボトル１の外方に向けてより下方向に延びる構成であると、肩部２０に対して角度が形成されにくく、肩部２０の変形の起点として機能しにくくなる。一方で、環状の段差部２１はＰＥＴボトル１の外方に向けてより上方向に延びる構成であると賦形性が悪くなる。したがって、環状の段差部２１は略水平方向に延びる構成であることが好ましい。環状の段差部２１が略水平方向であれば、水平方向に対して傾斜を有する肩部２０に対して段差部２１を適切な角度とすることができる。そして、この構成によって、段差部２１と、傾斜する肩部２０との境界線を起点に肩部２０を確実に変形することができる。そして、この段差部２１の構造は単純であり、ＰＥＴボトル１は、特殊な装置が必要とされずに製造され、内容物の注出状態をより最適とすることができる。
【００４５】
そして、段差部２１と、肩部２０とのなす角は９５度以上、１４５度以下である構成によれば、効果的に肩部２０を容易に変形しやすくすることができる。そして、この範囲の段差部２１と、肩部２０とのなす角は、ＰＥＴボトル１として充分に成形可能であり、ＰＥＴボトル１は、特殊な装置が必要とされずに製造され、内容物の注出状態をより最適とすることができる。
【００４６】
肩部２０は、環状の段差部２１に対して径方向（図２参照）に延びるリブ２２を更に有しても良い。肩部２０の変形の際に、リブ２２を有していない場合には屈曲する箇所が定まっていない。それに対し、段差部２１にリブ２２が設けられることによって、リブ２２と、傾斜する肩部２０との境界が起点となり、肩部２０を変形しやすくすることができる。したがって、この構成によって、段差部２１のリブ２２と、傾斜する肩部２０との境界を起点に肩部２０を確実、かつ容易に変形することができる。なお、胴部３０に、肩部２０の変形の影響が及ばないように、リブ２２は、環状の段差部２１の外周側より突出することが好ましい一方で、胴部３０とは接続しないことが好ましい。更に、リブ２２の変形が胴部３０に伝播することを防止するための水平方向に延びる別のリブが設けられても良い。
【００４７】
図１に例示されるようにリブ２２は凹状に形成されていることが好ましい。リブ２２は凹状である構成によれば、凹状部分が折りじわとなるとともに、段差部２１の変形を吸収して、肩部２０を容易に変形しやすくすることができる。そして、この構成によって、段差部２１の凹状のリブ２２と、傾斜する肩部２０との境界を起点（屈曲点）に肩部２０を確実、かつより容易に変形することができる。なお、リブ２２は、凸状であるよりも凹状である方が金型からの離形時の引っ掛かりが少なくなり、離型性が良好となる。
【００４８】
更に、図２に例示されるように肩部２０はリブ２２を複数有し、複数のリブ２２は、環状の段差部２１の周方向に等間隔に位置する構成であっても良い。このような構成によれば、口部１０が押し込まれた際に肩部２０に係る荷重をＰＥＴボトル１の周方向に分散し、肩部２０をより容易に変形しやすくすることができる。更に、口部１０を任意の方向に曲げやすくすることができる。
【００４９】
胴部３０は、鉛直方向に正立する円筒の形状を有する。胴部３０は円筒形状である構成によれば、肩部２０の変形を阻害しないようにすることができる。更に、円筒形状の胴部３０によってＰＥＴボトル１の把持性を保持することができる。更に、円筒形状の胴部３０によって、外部からの荷重に対する強度、特に上下方向の荷重に対する座屈強度を有するＰＥＴボトル１の構造とすることができる。更に、胴部３０は汎用性が高く単純な形状であり、ＰＥＴボトル１は、特殊な装置が必要とされずに製造され、内容物の注出状態をより最適とすることができる。図１に例示される円筒の形状の胴部３０は直径Ｄ１の同一径に構成されている。
【００５０】
胴部３０は、ＰＥＴボトル１の内方へのくぼみが水平方向に延びる環状の周溝３１を有する。周溝３１は、胴部３０の水平方向の荷重に耐える強度である側壁強度を向上させるとともに、胴部３０の鉛直方向の荷重に対してクッションの役割を果たし、胴部３０の座屈を防止する機能を有する。図１の例示では周溝３１は、それぞれ断面視で直線状の上側周面と、溝底面と、下側周面とから構成されている。しかしながら、周溝３１の形状は特に限定されるものではなく、周溝３１は例えば、溝底面が円弧状に形成されたＵ字状であっても良く、更に、周溝３１と、胴部３０の表面との間に面取りがなされていても良い。
【００５１】
図１の例示では胴部３０には、溝の深さ、及び幅の異なる３種類の周溝３１Ａ、３１Ｂ、及び３１Ｃがそれぞれ複数形成されている。溝の深さ、及び幅が小である浅い周溝３１Ａは、胴部３０の表面での凹凸が少なく、かつ鉛直方向に変形しにくいため、ラベルが貼られる箇所等に設けられると良い。一方で、溝の深さ、及び幅が大である深い周溝３１Ｃは、側壁強度が大であるため、胴部３０の上下方向の中心等、側壁強度が特に要求される箇所に設けられると良い。更に、浅い周溝３１Ａ、及び深い周溝３１Ｃの中間の性質を有する中間の周溝３１Ｂは浅い周溝３１Ａ、及び深い周溝３１Ｃを補完する箇所に設けられると良い。
【００５２】
図１の例示では、浅い周溝３１Ａは、胴部３０の上部、及び下部にそれぞれ２本ずつ設けられ、深い周溝３１Ｃは、胴部３０の上下方向の中心付近に３本設けられ、中間の周溝３１Ｂは、胴部３０の上端、及び下端に１本ずつ、並びに深い周溝３１Ｃの間に１本ずつ、合計４本設けられている。
【００５３】
更に、胴部３０の水平方向の荷重、及び鉛直方向の荷重の両方に対して胴部３０全体で強度を保つためには、胴部３０の上下方向に対称に各周溝３１が配置されることが好ましい。このため、図１の例示において複数の周溝３１は、胴部３０に上下対称に配置されている。
【００５４】
このように、特徴の異なる各周溝３１が適切な間隔を有して適所に配置されることによって、強度、把持性、良好な外観等の機能を有するＰＥＴボトル１を構成することができる。
【００５５】
なお、本実施形態において胴部３０は、強度、把持性、良好な外観等の機能を有していればその構造は特に限定されない。したがって、胴部３０は例えば、同一径でなくても良く、鉛直方向の縦溝を有していても良く、更に、圧力吸収パネルを備えていても良い。更に、各周溝３１の形状や、寸法、本数等も適宜設計される。
【００５６】
底部４０はその上方が、胴部３０の下方に連なる。隣接する胴部３０と、底部４０との間には、面取りがなされた面取り部４１が形成される。底部４０は、底壁４２と、ドーム４３とを有する。略平板環状の底壁４２は、胴部３０に対して垂直方向に延び、ＰＥＴボトル１の接地面となる。ドーム４３は、底壁４２から、ＰＥＴボトル１の内方へ突出するように構成される。なお、底部４０の構成はこれに限らず一般的な形状、例えばリブが設けられた形状であっても良い。
【００５７】
本実施形態では、一般的なボトルよりも高くドーム４３が形成されていると良い。より具体的には、本実施形態に係るＰＥＴボトル１が縦に２本重ねられた際に、図示せぬ蓋がかぶせられた口部１０全体がドーム４３に収まる程度の高さにドーム４３が形成されていても良い。すなわちここで、ＰＥＴボトル１の接地面（底壁４２）からドーム４３の上端までをドーム４３の高さＨ２とすると、口部１０の高さＨ１＜ドーム４３の高さＨ２となるようにドーム４３が形成されていても良い。ドーム４３の高さＨ２は、口部１０にかぶせられる蓋も考慮に入れて例えば２５ｍｍ、あるいは２１ｍｍである。
【００５８】
その際に、ドーム４３の側面４４は、上方から下方に向けてＰＥＴボトル１の外方へ傾斜する周面に形成されるとブロー成型時に延伸しやすくて良い。ここで、ドーム４３の下端での径をドーム４３の下端における直径Ｄ２とすると、ドーム４３の下端における直径Ｄ２は、胴部３０の直径Ｄ１に対して予め定められた比で形成されると底壁４２が狭くならず、ブロー成型時に、底部４０側まで樹脂が到達して延伸しやすくなり、白化等の賦形不良が生じにくくなって良い。
【００５９】
ドーム４３が、これらの範囲の形状とされることによって、ＰＥＴボトル１として充分に成形可能であり、ＰＥＴボトル１は、特殊な装置を必要とせずに製造することができる。
【００６０】
以上のように構成される本実施形態に係るＰＥＴボトル１は、口部１０の方向、及び高さを任意に移動可能なフレキシブル口栓として機能する。
【００６１】
次に、ＰＥＴボトル１の肩部２０が変形された状態について２つの形状を例示し、詳細に説明する。図４は、図１のＰＥＴボトル１が変形された状態の一例が示された部分正面図である。図５は、図４のＰＥＴボトル１の平面図である。
【００６２】
本実施形態に係るＰＥＴボトル１は、口部１０が下方に押し込まれることによってその高さが低くなるように変形されるように構成される。具体的には、口部１０が下方に押し込まれることによってリブ２２と、傾斜する肩部２０との境界を起点として肩部２０に変形が生じ、平面視で段差部２１より内方の肩部２０が正面視で凹状の傾斜となる。そして、図５に示されるように、凹状の傾斜の最下点が環状の凹部２３となる。
【００６３】
図４に示されるように、口部１０が略最大限押し込まれると、サポートリング１１が段差部２１と重なる程度の高さとなるまで肩部２０は変形されるように構成されている。すなわち、本実施形態に係るＰＥＴボトル１は、口部１０が、胴部３０側に鉛直に押し込まれた際に、肩部２０の上部が段差部２１より下方に位置するように変形可能に構成される。したがって、段差部２１の上方は図１に示された口部１０の高さＨ１分の高さとなる。
【００６４】
このような構成によれば、肩部２０の変形時においてＰＥＴボトル１の全高を低くすることができる。この特徴を有するＰＥＴボトル１は、特殊な装置が必要とされずに製造され、内容物の注出状態を最適とすることができる。
【００６５】
このように、口部１０が鉛直下方向に押し込まれることによって、段差部２１より上方の寸法が短くなるとともに、段差部２１より内方の領域において傾斜する肩部２０の部分も段差部２１より下方に隠れる。したがって、２本のＰＥＴボトル１が縦に重ねられる際に、鉛直下方向に押し込まれた口部１０と、一般的なボトルよりも高く形成されたドーム４３とが組み合わせやすくなる。
【００６６】
通常では、肩部２０を水平方向に成形することは困難である。その点、本実施形態に係るＰＥＴボトル１では、段差部２１より内方の水平方向に対して傾斜を有する肩部２０が段差部２１より下方に隠れるように変形されるように構成されることで、ＰＥＴボトル１の全高を短くすること、及びＰＥＴボトル１を積載しやすくすることが実現される。
【００６７】
このような構成の本実施形態に係るＰＥＴボトル１は、これ以上の軽量化が困難になりつつある中で、縦に２段に重ねられて段ボールに収納された場合において、１パレットあたりの積載効率が２０％程度上がるという効果を奏する。更に、本実施形態に係るＰＥＴボトル１は例えば、備蓄に用いられる場面において、幅や、奥行きが狭い空間にも縦に重ねて収納することができ、省スペース化を実現することができる。更に、本実施形態に係るＰＥＴボトル１は、内容物の充填後に口部１０が鉛直下方向に押し込まれることによって空寸部を減らすことができ、内容物の保存性を向上することができる。更に、本実施形態に係るＰＥＴボトル１は、キャッピング後に口部１０が鉛直下方向に押し込まれることによって内圧を上げることができ、ＰＥＴボトル１の座屈強度を向上することができる。これらのように、本実施形態に係るＰＥＴボトル１は種々の効果を奏することができる。
【００６８】
次に、ＰＥＴボトル１の肩部２０が変形された状態について別の形状を例示し、詳細に説明する。図６は、図１のＰＥＴボトル１が変形された別の状態の一例が示された部分正面図である。
【００６９】
本実施形態に係るＰＥＴボトル１は、口部１０が斜め下方に押し込まれることによってその開口部が鉛直上向きから傾きを有して変形されるように構成される。具体的には、口部１０が斜め下方に押し込まれることによって押し込まれた側のリブ２２と、傾斜する肩部２０との境界を起点として肩部２０に変形が生じ、平面視で、押し込まれた側の段差部２１より内方が正面視で凹状の傾斜となる。
【００７０】
図６に示されるように、口部１０が、斜め下方に略最大限押し込まれると、押し込まれた側のサポートリング１１が段差部２１と重なる程度の高さとなるまで肩部２０は変形されるように構成されている。その際に、口部１０は、胴部３０の外周から延びる仮想線ａよりも外方にははみ出さないようにも構成されている。すなわち、本実施形態に係るＰＥＴボトル１は、口部１０が、胴部３０側に、鉛直に対して角度を有して押し込まれた際の口部１０の上端が胴部３０の外周より内方に位置するように変形可能に構成される。
【００７１】
このような構成によれば、より少ない傾きで、ＰＥＴボトル１から内容物を注出することができ、内容物を注ぎやすい、あるいは内容物を飲みやすくすることができる。更に、このような構成によれば、内容物の注出の際に脈動の影響を少なくして注ぎやすくすることができ、これは特に、ＰＥＴボトル１が大型になるほどその効果がより発揮される。これらの特徴によって、本実施形態に係るＰＥＴボトル１は、握力や、手首の力の弱い方の使用や、介護の場面での使用等においても有効である。
【００７２】
更に、本実施形態に係る構成によれば、口部１０が傾いた状態での肩部２０の変形時においてもＰＥＴボトル１から外周方向にはみ出すことを防止することができる。したがって、口部１０が傾いた状態で収納された場合にも、ＰＥＴボトル１が胴部３０の外周の範囲で収まって省スペース化が図れるとともに、隣り合うＰＥＴボトル１同士がぶつかることもない。
【００７３】
更に、これらの特徴を有するＰＥＴボトル１は、特殊な装置が必要とされずに製造され、内容物の注出状態を最適とすることができる。
【００７４】
本実施形態に係るＰＥＴボトル１にはサイズによる限定はなく、種々のサイズに対して適用することができる。例えば、ＰＥＴボトル１の容積が２００ｍｌ〜２０００ｍｌであっても良く、特に、容積が５００ｍｌ〜１０００ｍｌであるＰＥＴボトル１に対して好適である。とりわけ、ＰＥＴボトル１の全高が１２０ｍｍ〜２６０ｍｍであり、胴部３０の直径Ｄ１が４０ｍｍ〜７０ｍｍであることが好ましく、本実施形態に係るＰＥＴボトル１の奏する効果を好適に得ることができる。
【００７５】
上述においては、本実施形態に係る容器に特に好適な材料としてＰＥＴが用いられた例が示された。しかしながら、本実施形態においては少なくとも肩部２０が塑性変形自在の材料であれば良い。なお、本実施形態に係る容器は、一体的に成形される観点から肩部２０だけでなく容器全体に同一の材料が用いられることが好ましい。したがって、本実施形態に係るＰＥＴボトル１の材料としては熱可塑性樹脂が用いられることが好ましい。
【００７６】
ＰＥＴボトル１を構成する熱可塑性樹脂としては、ポリエチレンテレフタラート以外にも例えば、ポリブチレンテレフタラート、ポリエチレンナフタレート、ポリカーボネート、ポリアリレート、又はこれらの共重合体等の熱可塑性ポリエステル、これらの樹脂、あるいは他の樹脂とのブレンド物が好適であり、特に、ポリエチレンテレフタラート等のエチレンテレフタラート系熱可塑性ポリエステルを好適に使用することができる。更に、アクリロニトリル樹脂、ポリエチレン、ポリプロピレン、プロピレン−エチレン共重合体等も使用することができる。更に、植物由来のバイオマス系プラスチック、例えば、ポリ乳酸（ＰＬＡ）を用いることも可能である。
【００７７】
上述された樹脂には、成形品の品質を損なわない範囲で、種々の添加剤、例えば、着色剤、紫外線吸収剤、離型剤、滑剤、核剤、酸化防止剤、帯電防止剤等を配合することができる。なお、ＰＥＴボトル１は、過酸化水素、過酢酸を添加して無菌化させることが好ましい。
【００７８】
ＰＥＴボトル１を構成するエチレンテレフタラート系熱可塑性樹脂として、エステル反復部分の大部分、一般に７０モル％以上をエチレンテレフタラート単位が占めるものであり、ガラス転移点（Ｔｇ）が５０〜９０℃であり、融点（Ｔｍ）が２００〜２７５℃の範囲にあるものが好適である。また、エチレンテレフタラート系熱可塑性ポリエステルとして、ポリエチレンテレフタラートが耐圧性等の点で特に優れているものの、エチレンテレフタラート単位以外に、イソフタル酸や、ナフタレンジカルボン酸等の二塩基酸と、プロピレングリコール等のジオールからなるエステル単位を少量含む共重合ポリエステルも使用することができる。
【００７９】
更に、ＰＥＴボトル１は、二層以上の熱可塑性ポリエステル層により構成することもできる。更に、ＰＥＴボトル１は、二層以上の熱可塑性ポリエステル層により構成する場合には、層間にバリア層や、酸素吸収層等の中間層を備えることができる。酸素吸収層としては、酸化可能有機成分、及び遷移金属触媒の組み合わせ、あるいは実質的に酸化しないガスバリア性樹脂等を含む層を使用することができる。
【００８０】
本実施形態に係る容器は、プラスチックボトル、特に、ＰＥＴボトル１である構成によれば、適度な強度と、塑性変形性を併せ持ち、汎用性の高い材料で効果的に肩部２０を変形することができる。そして、プラスチックは、ＰＥＴボトル１としての成形が容易であり、ＰＥＴボトル１は、特殊な装置が必要とされずに製造され、内容物の注出状態をより最適とすることができる。
【００８１】
なお、本実施形態に係るＰＥＴボトル１の材料としては熱可塑性樹脂に限らず、繰り返される変形によって材料の疲労（微小な割れ目）が発生しない範囲であれば、例えば、アルミニウム等の金属を用いることもできる。
【００８２】
ＰＥＴボトル１は、上述の材料を射出成形して製作したプリフォームをブロー成形することによって作製することができる。そして、上述されたように、本実施形態に係るＰＥＴボトル１は比較的単純な構成とされるため、現状において広く用いられている汎用性の高いブロー成形機による１段ブローで充分に成形することができる。更に、本実施形態に係るＰＥＴボトル１の製造においては、成形装置にヒータ等を追加する必要がなく、装置が大型化することを防ぎ、費用がかさむことを抑えることができる。
【００８３】
以上に説明がなされたように、本実施形態に係るＰＥＴボトル１は、口部１０と、水平方向に対して傾斜を有する肩部２０と、胴部３０と、底部４０とを有し、少なくとも肩部２０は、塑性変形自在の材料からなり、環状の段差部２１を有する。そして、本実施形態に係る構成によれば、段差部２１と、肩部２０との境界線を起点に肩部２０を変形することができる。そして、本実施形態に係るＰＥＴボトル１では、口部１０の向きや高さを自在に変更することができる。そして、これらの特徴を有する本実施形態に係るＰＥＴボトル１は、特殊な装置が必要とされずに製造され、内容物の注出状態を最適とすることができる。
【実施例】
【００８４】
以下に、実施例を示して、本開示を更に詳細、かつ具体的に説明する。しかしながら、本開示は、以下の実施例に限定されるものではない。
【００８５】
＜材料＞
［実施例１］
図１に示される本実施形態に係るＰＥＴボトル１が用いられた。すなわち、ＰＥＴボトル１は、少なくとも肩部２０が、塑性変形自在の材料からなり、環状の段差部２１を有する等といった特徴を有している。ＰＥＴボトル１は、ポリエチレンテレフタラート製であり、重量が１８ｇで、容量が５００ｍｌであった。ＰＥＴボトル１は、プリフォームをブロー成形することによって作製された。なお、ブロー成形時に賦形不良が発生することはなかった。
【００８６】
［比較例１］
図７は、比較例１のＰＥＴボトル１００が示された正面図である。このＰＥＴボトル１００が比較例１として供試された。口部１１０と、肩部１２０と、胴部１３０とからなる比較例１のＰＥＴボトル１００は、胴部１３０の中心線ｂに対して傾斜する中心線ｃに沿って口部１１０、及び肩部１２０が設けられた。
【００８７】
［比較例２］
図８は、比較例２のＰＥＴボトル２００が示された正面図である。このＰＥＴボトル２００が比較例２として供試された。口部２１０と、肩部２２０と、胴部２３０とを備える比較例２のＰＥＴボトル２００は、口部２１０と、肩部２２０との間にジャバラ２６０が設けられた。
【００８８】
［比較例３］
図９は、比較例３のＰＥＴボトル３００が示された正面図である。このＰＥＴボトル３００が比較例３として供試された。比較例３のＰＥＴボトル３００は、口部３１０と、肩部３２０と、胴部３３０と、底部３４０とを備え、広く用いられる一般的な肩部３２０の構成であるものとされた。
【００８９】
＜方法＞
（ブロー成形評価）
実施例１、比較例１、比較例２、及び比較例３のそれぞれのＰＥＴボトル１、１００、２００、及び３００の各々についてブロー成形性の評価がなされた。表１には、ブロー成形によって作製された各ＰＥＴボトル１、１００、２００、及び３００の目視による成形評価の結果が示され、○：賦形不良なし、×：賦形不良発生、で表記されている。
【００９０】
（垂直座屈強度試験）
実施例１、比較例１、及び比較例３のそれぞれのＰＥＴボトル１、１００、及び３００の各々にヘッドスペースが２０ｍｌになるように緑茶が充填され、それぞれの口部１０、１１０、及び３１０がキャップによって密封された。内容物が充填された各ＰＥＴボトル１、１００、及び３００が正立した状態で１０ｍｍまでの変位に対する垂直座屈強度が測定された。垂直座屈強度の測定には、ＡＧＲ社製のテスター、ＴＯＰ  ＬＯＡＤが使用された。
【００９１】
図１０は、垂直座屈強度の測定結果が示された概要図である。ここで、実施例１の結果は実線で、比較例１の結果は点線で、比較例３の結果は１点鎖線で示されており、縦軸は強度（Ｎ）、横軸は変位（ｍｍ）である。表１には、垂直座屈強度試験の結果が示されている。座屈強度は、２００Ｎ以上を座屈強度ありと判定し、○：座屈強度あり、×：座屈強度なし、で表記されている。なお、賦形不良が発生した比較例２のＰＥＴボトル２００については、垂直座屈強度試験は実施されなかった。
【００９２】
（組付試験）
実施例１、比較例１、及び比較例３のそれぞれのＰＥＴボトル１、１００、及び３００の各々にヘッドスペースが２０ｍｌになるように緑茶が充填され、それぞれの口部１０、１１０、及び３１０がキャップによって密封された。内容物が充填された各ＰＥＴボトル１、１００、及び３００が、縦３本、横４本に配列されてダンボールに箱詰めされた。これらの各ＰＥＴボトル１、１００、及び３００が詰められたダンボールが段積みされ、３段積みの組付可否の組付試験がそれぞれ行われた。表１には、組付試験の結果が示されている。組付可否は、○：荷崩れなし、×：荷崩れ発生、で表記されている。なお、賦形不良が発生した比較例２のＰＥＴボトル２００については、組付試験は実施されなかった。
【００９３】
（モニタリング調査）
各々に緑茶が充填された実施例１、比較例１、及び比較例３のそれぞれのＰＥＴボトル１、１００、及び３００が用意され、２０代〜７０代の１００人のモニタに、注ぎやすさ、及び飲みやすさが優れているボトルを選定していただいた。ＰＥＴボトル１、１００、及び３００の中から各モニタに選定されたものが一人一点として集計された。表１には、合計点数が表記されている。なお、賦形不良が発生した比較例２のＰＥＴボトル２００については、モニタリング調査は実施されなかった。
【００９４】
（総合評価）
上述されたブロー成形評価、垂直座屈強度試験、組付試験、及びモニタリング調査に基づいて、実施例１、比較例１、比較例２、及び比較例３のそれぞれのＰＥＴボトル１、１００、２００、及び３００の総合評価がなされた。表１には、総合評価の結果が示されている。総合評価は、○：良好、×：適性なし、で表記されている。
【００９５】
【表１】
2016108017.tif 000003
【００９６】
上述された実施例から以下の点が導き出された。表１に示されたように、実施例１は、ブロー成形性が良好であり、座屈強度、及び組付性を有しており、注ぎやすさ、及び飲みやすさに優れていた。比較例１は、ブロー成形性を有し、注ぎやすさ、及び飲みやすさがやや優れていたものの、座屈強度、及び組付性を有していなかった。比較例２は、ブロー成形時に賦形不良が発生した。比較例３は、注ぎやすさ、及び飲みやすさに適性を有していなかった。
【００９７】
以上の実施例の結果から、本実施形態に係るＰＥＴボトル１は、特殊な装置を必要とせずに良好なブロー成形性で製造することができ、更に、その構成によって、高い座屈強度、及び優れた組付性を備えることができるとともに、内容物の注出状態を最適とすることができることが示された。
【産業上の利用可能性】
【００９８】
本開示は、内容物として液体が充填される種々の容器に好適に利用することができる。しかしながら、本開示は、上述された実施形態に限定されるものではない。本開示の容器は、内容物に、例えば、緑茶、ウーロン茶、紅茶、コーヒー、果汁、清涼飲料等の各種非炭酸飲料、あるいはしょうゆ、ソース、みりん等の調味料、食用油、酒類を含む食品等、洗剤、シャンプー、化粧品、医薬品、その他を収容した、あらゆる容器に有用であり、容器の横倒し積載が可能であるので自動販売機等による販売にも適している。更に、内容物として液体に限らず粉体が充填される容器にも利用することができる。
【符号の説明】
【００９９】
１  ＰＥＴボトル
１０  口部
２０  肩部
２１  段差部
２２  リブ
３０  胴部
４０  底部
４２  底壁
４３  ドーム
４４  ドームの側面
ａ  胴部の外周から延びる仮想線
Ｄ１  胴部の直径
Ｄ２  ドームの下端における直径
Ｈ１  口部の高さ
Ｈ２  ドームの高さ
【図１】
2016108017.tif 000004
【図２】
2016108017.tif 000005
【図３】
2016108017.tif 000006
【図４】
2016108017.tif 000007
【図５】
2016108017.tif 000008
【図６】
2016108017.tif 000009
【図７】
2016108017.tif 000010
【図８】
2016108017.tif 000011
【図９】
2016108017.tif 000012
【図１０】
2016108017.tif 000013